(57)【特許請求の範囲】
【請求項１】
屋内空間を複数に仕切る間仕切壁を備える建物の間仕切壁構造において、
前記間仕切壁は、厚み方向に対向配置された第１間仕切パネル及び第２間仕切パネルを備え、これら各間仕切パネルがそれぞれ横並びに複数設置されることにより構成されており、
前記第１間仕切パネル及び前記第２間仕切パネルは、下地面材と、該下地面材の一面側に設けられた化粧材と、該下地面材の他面側に設けられた下地フレームとをそれぞれ有し、互いの下地フレームを向き合わせた状態で設置されており、
さらに、前記各間仕切パネルは、それぞれ個別に取り外し可能に設置されており、
前記第１間仕切パネル及び前記第２間仕切パネルにおいてそれぞれの上下端部には、それら各間仕切パネルの化粧材の化粧仕上げ面側に張り出した張出部を有する固定下地板が取り付けられており、
前記各固定下地板は、前記屋内空間の天井部及び床部に当接しており、
前記屋内空間側から前記張出部に固定具が打ち付けられることにより、前記第１間仕切パネル及び前記第２間仕切パネルが固定されており、
前記第１間仕切パネル及び前記第２間仕切パネルにおいて上端部及び下端部の少なくともいずれかには見切り横材が設けられており、
前記張出部には、前記化粧材の化粧仕上げ面に沿って、前記見切り横材を取り外し可能に支持する支持部が設けられ、
前記見切り横材は、その外面の内側に前記張出部を隠しかつ該支持部に支持された状態で取り付けられていることを特徴とする建物の間仕切壁構造。
【請求項２】
前記間仕切壁は、浴室と、該浴室に隣接して設けられた浴室隣接空間とを仕切るものであり、前記第１間仕切パネル及び前記第２間仕切パネルの一方により前記浴室の壁面が形成され、他方により前記浴室隣接空間の壁面が形成されていることを特徴とする請求項１に記載の建物の間仕切壁構造。
【請求項３】
前記第１間仕切パネルの前記下地フレームは、矩形形状の外枠と、該外枠の内側に設けられた横桟とを有し、
前記第２間仕切パネルの前記下地フレームは、矩形形状の外枠と、該外枠の内側に設けられた縦桟とを有することを特徴とする請求項１又は２に記載の建物の間仕切壁構造。
【請求項４】
前記第１間仕切パネル及び前記第２間仕切パネルのうち一方の少なくとも一つの間仕切パネルが、他方の複数の間仕切パネルに跨って設けられていることを特徴とする請求項１乃至３のいずれか一項に記載の建物の間仕切壁構造。
【発明の詳細な説明】
【技術分野】
【０００１】
本発明は、建物の間仕切壁構造に関する。
【背景技術】
【０００２】
住宅等の建物における間仕切壁の構造としては、複数の間仕切パネルを横並びに設置することにより間仕切壁を構成したものが知られている（例えば、特許文献１）。この種の間仕切パネルは、木質系角材により矩形形状に形成された下地フレームと、下地フレームの両面側に固定されるとともに石膏ボードからなる一対の下地面材とから構成されているのが一般的である。そして、下地面材の表面には、複数の間仕切パネルに跨ってクロス（壁紙）等の化粧材が貼り付けられている。
【先行技術文献】
【特許文献】
【０００３】
【特許文献１】特開２０００−２１３０８９号公報
【発明の概要】
【発明が解決しようとする課題】
【０００４】
ところで、間仕切壁の内部は、配線や配管を通すための配線・配管スペースとして用いられたり、間仕切壁の断熱性を高めるべく断熱材を設置するスペースとして利用されたりする等、各種部材の設置スペースとして利用されることが多い。そのため、例えばリフォームの際等に、間仕切壁内にかかる部材の設置工事を行うことがある。また、壁内に設置した部材を点検するために壁内点検を実施することもある。
【０００５】
従来の間仕切壁において、これらの壁内作業を行う際には、間仕切壁における間仕切パネルの下地面材である石膏ボードを片面側だけ取り外し、その取り外し部分の開口を通じて壁内へ部材を設置したり壁内点検を行ったりすることになる。ここで、間仕切パネルの石膏ボードを取り外す際には、まずその石膏ボードの表面に貼り付けられている化粧クロスを剥がし取る必要がある。この化粧クロスは、上述したように複数の間仕切パネル（石膏ボード）に跨って貼り付けられているため、この場合化粧クロスを各石膏ボードからそれぞれ剥がし取る必要がある。このため、石膏ボードの一部を取り外すがために壁面全体の化粧クロスを剥がし取るといった大掛かりな作業が発生しうる。
【０００６】
化粧クロスを剥がし取った後、取り外し対象の石膏ボードをハンマーで叩き壊す等して下地フレームから取り外すこととなるが、この作業自体も大きな労力を伴うことが想定される。しかも、石膏ボードを破壊することにより生じた砕片を回収する作業も付随的に発生し、その作業も大きな手間となることが考えられる。
【０００７】
また、間仕切壁の壁内に配線や配管を設置する場合には、一方側の石膏ボードを取り外した後、配線や配管を挿通させる挿通孔を下地フレームに穿設する等の加工を行う必要がある。この加工作業は、下地フレームに他方側の石膏ボードが取り付けられたままの状態で行うことが考えられるが、その場合、当該他方側の石膏ボードが加工作業の邪魔となり、作業性の面で懸念がある。そこで、他方側の石膏ボードについても取り外した状態で上記加工作業を行うことが考えられるが、その場合、他方側の石膏ボードに貼り付けられている化粧クロスを剥がし取り、その後他方側の石膏ボードを破壊して下地フレームから取り外す必要があり、著しい手間が生じうる。
【０００８】
本発明は、上記事情に鑑みてなされたものであり、間仕切壁の点検や工事を行う際の作業負荷を軽減することができる建物の間仕切壁構造を提供することを主たる目的とするものである。
【課題を解決するための手段】
【０００９】
上記課題を解決すべく、第１の発明の建物の間仕切壁構造は、屋内空間を複数に仕切る間仕切壁を備える建物の間仕切壁構造において、前記間仕切壁は、厚み方向に対向配置された第１間仕切パネル及び第２間仕切パネルを備え、これら各間仕切パネルがそれぞれ横並びに複数設置されることにより構成されており、前記第１間仕切パネル及び前記第２間仕切パネルは、下地面材と、該下地面材の一面側に設けられた化粧材と、該下地面材の他面側に設けられた下地フレームとをそれぞれ有し、互いの下地フレームを向き合わせた状態で設置されており、さらに、前記各間仕切パネルは、それぞれ個別に取り外し可能に設置されていることを特徴とする。
【００１０】
本発明によれば、間仕切壁において、その厚み方向に分割された第１間仕切パネル及び第２間仕切パネルを個別に取り外すことで、間仕切壁の壁内を露出させることができる。この場合、間仕切壁に関する工事に際し、複数の下地面材に跨って貼り付けられた化粧材を各下地面材から剥がし取ったり、下地面材を破壊して当該下地面材を下地フレームから取り外したりする煩わしい作業が不要となる。しかも、厚み方向に分割された各間仕切パネルのうち、一方の間仕切パネルを取り付けたまま他方の間仕切パネルを取り外すことができるため、上記一方の壁面（壁内露出側とは反対側の壁面）については化粧材や下地面材を取り外すといった作業は不要である。よって、以上より、間仕切壁の点検や工事を行う際の作業負荷を軽減することができる。
【００１１】
また、間仕切壁の壁内に配管や配線を設置する際には、配管や配線を挿通させる挿通孔が予め下地フレームに形成された間仕切パネルを用意しておき、その新しい間仕切パネルを上記間仕切パネルを取り外した部位に設置すればよい。また、下地フレームに対して上記挿通孔をあける等の加工を行うとしても、間仕切パネルごと取り外してから加工を行うことができるため加工作業を容易なものとすることができる。そのため、壁内に配線・配管を設置する際の作業負荷を大いに軽減できる。
【００１２】
第２の発明の建物の間仕切壁構造は、第１の発明において、前記間仕切壁は、浴室と、該浴室に隣接して設けられた浴室隣接空間とを仕切るものであり、前記第１間仕切パネル及び前記第２間仕切パネルの一方により前記浴室の壁面が形成され、他方により前記浴室隣接空間の壁面が形成されていることを特徴とする。
【００１３】
例えば、浴室と他の屋内空間（以下、浴室隣接空間という）とを仕切る間仕切壁の内部に、浴室へ水を供給する浴室配管を新たに設置したり、壁内の浴室配管を点検したりする場合がある。この場合、本発明では、浴室隣接空間側の間仕切パネルを取り外すことで、間仕切壁の内部を浴室隣接空間側に露出させることができ、浴室隣接空間側から壁内の点検や浴室配管の設置を行うことができる。つまり、本発明によれば、間仕切壁の壁内を露出させるに際し、壁全体（壁の厚み方向全体）を破壊する必要がないため、浴室側の壁面材（下地材や化粧材）を取り外す手間を省くことができる。また、浴室側の壁面材には、一般に床面や天井面との境界部に防水用のシール処理が施されており、浴室側の壁面材を取り外すとなると、かかるシール部材を除去する大掛かりな作業が発生するが、上記構成によれば、かかる面倒な作業を行わずに済むこととなる。よって、かかる間仕切壁において点検や工事を行う際の作業負荷を大いに軽減できる。
【００１４】
第３の発明の建物の間仕切壁構造は、第１又は第２の発明において、前記第１間仕切パネルの前記下地フレームは、矩形形状の外枠と、該外枠の内側に設けられた横桟とを有し、前記第２間仕切パネルの前記下地フレームは、矩形形状の外枠と、該外枠の内側に設けられた縦桟とを有することを特徴とする。
【００１５】
本発明によれば、下地フレームの内側空間すなわち間仕切壁の壁内に配線や配管（以下、配線等という）を通す場合に、横桟を有している（換言すると縦桟を有してない）下地フレームの内側空間では配線等を左右に通すことができ、縦桟を有している（換言すると横桟を有してない）下地フレームの内側では配線等を上下に通すことができる。したがって、下地フレームの桟に配線等を挿通させる挿通孔をあける等の加工をしなくても、間仕切壁内において上下及び左右に配線等を通すことができる。
【００１６】
また、この場合、第１間仕切パネルの下地フレームの横桟と、第２間仕切パネルの下地フレームの縦桟との交差部に、これら各桟を互いに連結する連結部を設けてもよい。そうすれば、各間仕切パネルの剛性を高めることができるため、間仕切壁の厚み方向に間仕切パネルを分割した構成においても安定した壁構造を構築できる。
【００１７】
第４の発明の建物の間仕切壁構造は、第１乃至第３のいずれかの発明において、前記第１間仕切パネル及び前記第２間仕切パネルのうち一方の少なくとも１つの間仕切パネルが、他方の複数の間仕切パネルに跨って設けられていることを特徴とする。
【００１８】
間仕切壁の各間仕切パネルをそれぞれ個別に取り外し可能に設置した上述の構成において、例えば壁厚み方向に対向配置される一対の間仕切パネルを同じ大きさで形成し、かつ互いに位置合わせして設置する構成とした場合、横並びに隣接する間仕切パネルの境界部において連結が弱くなる可能性がある。そのため、間仕切パネルが押される等して間仕切パネルに荷重が加えられた場合に、当該間仕切パネルがそれと横並びに隣接する間仕切パネルに対して壁厚み方向にずれるおそれがある。その点、本発明では、第１間仕切パネル及び第２間仕切パネルのうち、一方の少なくとも１つの間仕切パネルが他方の複数の間仕切パネルに跨って設けられており、換言すると、当該他方の複数の間仕切パネルが、当該一方の同一の間仕切パネルにそれぞれ対向（重複）して設けられている。そのため、当該他方の複数の間仕切パネルのいずれかに荷重が加えられた場合でも、当該他方のその他の間仕切パネルとの間で上記のずれが生じるのを抑制できる。よって、この場合、横並びに隣接する間仕切パネル同士の間にずれが生じるのを抑制できる。
【００１９】
第５の発明の建物の間仕切壁構造は、第１乃至第４のいずれかの発明において、前記第１間仕切パネル及び前記第２間仕切パネルにおいてそれぞれの上下端部には、それら各間仕切パネルの化粧材の化粧仕上げ面側に張り出した張出部を有する固定下地板が取り付けられており、前記固定下地板は、前記屋内空間の天井部及び床部に当接しており、前記屋内空間側から前記張出部に固定具が打ち付けられることにより、前記第１間仕切パネル及び前記第２間仕切パネルが固定されていることを特徴とする。
【００２０】
例えば床部及び天井部に間仕切パネルの上下両端部がビス等の固定具により直接固定されている構成では、床下及び天井裏から固定具を引き抜く等して間仕切パネルを取り外す必要がある。その点本発明では、間仕切パネルの上下両端部に取り付けられた各固定下地板の張出部を、屋内空間側から固定具を引き抜く等することにより、床部及び天井部から取り外すことで、間仕切パネルを取り外すことができる。これにより、間仕切壁の点検や工事を行う際の作業負荷をより一層軽減することができる。
【００２１】
第６の発明の建物の間仕切壁構造は、第５の発明において、前記第１間仕切パネル及び前記第２間仕切パネルにおいて上端部及び下端部の少なくともいずれかに見切り横材が設けられる建物の間仕切壁構造であり、前記張出部には、前記化粧材の化粧仕上げ面に沿って、前記見切り横材を取り外し可能に支持する支持部が設けられ、前記見切り横材は、その外面の内側に前記張出部を隠しかつ該支持部に支持された状態で取り付けられていることを特徴とする。
【００２２】
本発明によれば、見切り横材により固定下地板の張出部を覆うことができるため、間仕切壁の上下端部の見栄えが損なわれるのを回避しつつ、上記第５の発明の効果を得ることができる。また、見切り横材は、固定下地板の支持部により取り外し可能に支持されているため、例えば下地面材に接着された見切り横材を剥がし取るといった面倒な作業をしなくても、見切り横材の取り外しができる。したがって、間仕切パネルを取り外す際の前作業として生じうる見切り横材の取り外し作業が煩雑となるのを抑制しつつ、上記効果を得ることができる。
【図面の簡単な説明】
【００２３】
【図１】第１の実施形態における間仕切壁の構成を示す斜視図。
【図２】各間仕切パネルの構成を示す分解斜視図。
【図３】間仕切パネルの設置構成を示す縦断面図。
【図４】各間仕切パネルにおいて対向配置された下地フレームを示す斜視図。
【図５】固定部材の構成を示す斜視図。
【図６】配線工事の作業手順を説明するための説明図。
【図７】第２の実施形態における間仕切パネルの設置構成を示す縦断面図。
【図８】横桟及び縦桟の交差部に設けられた規制構造を示す斜視図。
【図９】間仕切壁にテレビを埋め込んで設置した状態を示す斜視図。
【図１０】間仕切壁の構成を示す斜視図。
【発明を実施するための形態】
【００２４】
〔第１の実施形態〕
以下に、本発明を具体化した一実施の形態について図面を参照しつつ説明する。なお、図１は間仕切壁の構成を示す斜視図である。
【００２５】
図１に示すように、住宅等の建物において、屋内には間仕切壁１０が設けられており、この間仕切壁１０により屋内空間が第一居室Ｋ１と第二居室Ｋ２とに仕切られている。間仕切壁１０は、複数の壁ユニット１１よりなり、各壁ユニット１１は、厚み方向に対向配置された第１間仕切パネル２０及び第２間仕切パネル３０を備えている。これら各間仕切パネル２０，３０のうち、第１間仕切パネル２０が間仕切壁１０において第一居室Ｋ１側に配置され、第２間仕切パネル３０が第二居室Ｋ２側に配置されている。
【００２６】
第１間仕切パネル２０及び第２間仕切パネル３０よりなる壁ユニット１１は横並びに（間仕切壁１０の厚み方向に直交する方向に並んで）複数設けられており、これら複数の壁ユニット１１により間仕切壁１０が構成されている。具体的には、壁ユニット１１において、第１間仕切パネル２０と第２間仕切パネル３０とはほぼ同じ大きさ（縦横寸法）を有して形成されており、互いに位置合わせされた状態で対向配置されている。すなわち、壁ユニット１１において第１間仕切パネル２０と第２間仕切パネル３０とは１対１の関係で対向配置されている。
【００２７】
次に、各間仕切パネル２０，３０の構成について図２に基づいて説明する。なお、図２は、各間仕切パネル２０，３０の構成を示す分解斜視図である。
【００２８】
まず、第１間仕切パネル２０の構成について説明する。図２に示すように、第１間仕切パネル２０は、矩形形状に形成された下地フレーム２１と、下地フレーム２１の表側面（第一居室Ｋ１側の面）に設けられた下地面材２２と、下地面材２２の表側面に設けられ第一居室Ｋ１の屋内面（仕上面）を形成する仕上げ面材２３とを備える。
【００２９】
下地フレーム２１は、四角枠状に形成された外枠２５と、その外枠２５の内側に所定の間隔で設けられた複数（図２では４つ）の横桟２６とを備え、これら外枠２５及び横桟２６がビス等で互いに連結されることにより構成されている。外枠２５及び横桟２６は、共に木製の角材からなり、同じ厚みを有して形成されている。本実施形態では、外枠２５及び横桟２６の厚みすなわち下地フレーム２１の厚みが約３７ｍｍに設定されている。この厚みは従来の間仕切パネル（間仕切壁の厚み方向において非分割の間仕切パネル）における下地フレームの厚み（７４ｍｍ）の略半分となっている。
【００３０】
また、下地フレーム２１の外枠２５には、その上下に配された角材２５ａ（横材）にそれぞれ矩形形状の切欠き２９が形成されている。この切欠き２９は、下地面材２２とは反対側に向けて開放されており、それぞれの角材２５ａにおいて長手方向（下地フレーム２１の横幅方向）に複数（図２では２つ）ずつ設けられている。
【００３１】
下地面材２２は、石膏ボードにより形成されている。下地面材２２は、下地フレーム２１と略同じ大きさ（縦横寸法）を有する矩形形状に形成されている。下地面材２２は、下地フレーム２１に対してビス等により固定されている。
【００３２】
仕上げ面材２３は、塩化ビニル樹脂製のクロス（壁紙）からなり、下地面材２２と略同じ大きさ（縦横寸法）を有する矩形形状に形成されている。仕上げ面材２３は、下地面材２２の表面に接着剤により貼り付けられている。なおここで、仕上げ面材２３が化粧材に相当する。
【００３３】
次に、第２間仕切パネル３０について説明する。第２間仕切パネル３０は、基本的に第１間仕切パネル２０と同様の構成を有しており、矩形形状に形成された下地フレーム３１と、下地フレーム３１の表側面（第二居室Ｋ２側の面）に設けられた下地面材３２と、下地面材３２の表側面に設けられ第二居室Ｋ２の屋内面を形成する仕上げ面材３３とを備える。ここで、下地面材３２及び仕上げ面材３３（化粧材に相当）については、第１間仕切パネル２０のそれらと同じ構成であるのに対して、下地フレーム３１については第１間仕切パネル２０のそれと構成が異なっている。そこで、以下では下地フレーム３１の構成を説明する。
【００３４】
下地フレーム３１は、四角枠状に形成された外枠３５と、その外枠３５の内側に設けられた縦桟３６とを備え、これら外枠３５及び縦桟３６がビス等で互いに連結されることにより構成されている。すなわち、下地フレーム３１と第１間仕切パネル２０の下地フレーム２１とは、共に外枠２５，３５を有している点で共通するものの、下地フレーム２１が横桟２６を有しているのに対し、下地フレーム３１が縦桟３６を有している点で相違している。なお、外枠３５及び縦桟３６は、共に同じ厚みを有する木製の角材からなり、これらの厚みすなわち下地フレーム３１の厚みは第１間仕切パネル２０の下地フレーム２１と同じ厚み（３７ｍｍ）となっている。
【００３５】
また、下地フレーム３１の外枠３５には、その上下に配された角材３５ａ（横材）にそれぞれ矩形形状の切欠き３９が形成されている。この切欠き３９は、下地面材３２とは反対側に向けて開放されており、第１間仕切パネル２０の下地フレーム２１の切欠き２９と対応する位置に設けられている。
【００３６】
なお、本実施形態では、建物の基準寸法単位である建築モジュールを１ｍ（＝１０００ｍｍ）としたメータモジュール設計とされており、各間仕切パネル２０，３０がメータモジュールに適合した幅寸法となっている。具体的には、各間仕切パネル２０，３０はその横幅寸法が１ｍに設定されている。
【００３７】
次に、各間仕切パネル２０，３０の設置構成について図３に基づいて説明する。なお、図３は、間仕切パネル２０，３０の設置構成を示す縦断面図である。
【００３８】
図３に示すように、第１間仕切パネル２０及び第２間仕切パネル３０は、建物の屋内空間において天井部と床部との間に対向して設置されている。これら対向配置された各間仕切パネル２０，３０は、互いの下地フレーム２１，３１を向き合わせた状態で設置されており、具体的には、各下地フレーム２１，３１を当接させた状態で設置されている。ここで、上述したように各間仕切パネル２０，３０の下地フレーム２１，３１は従来の間仕切パネルの下地フレームと比べると厚みが略半分になっているため、間仕切パネルを壁厚み方向に分割した本構成においても、間仕切壁１０の厚みが従来と変わらないものとなっている。また、対向配置された間仕切パネル２０，３０同士は互いに連結されておらず独立した状態で設置されている。
【００３９】
また、図１に示すように、間仕切壁１０の横幅方向に隣接する間仕切パネル２０（３０）同士は、互いの端面を当接させた状態で設けられている。この設置状態において、横並びにある各間仕切パネル２０（３０）の仕上げ面材２３（３３）は、横並び方向において隙間なく、かつ、各々の表面が面一となるように配置されている。これにより、各間仕切パネル２０（３０）の仕上げ面材２３（３３）により連続した仕上げ面すなわち居室Ｋ1  （Ｋ２）の屋内面が形成されている。また、間仕切壁１０の横幅方向に隣接する間仕切パネル２０（３０）同士は互いに連結されておらず独立した状態で設置されている。つまり、本実施形態では、各間仕切パネル２０，３０がそれぞれ他の間仕切パネル２０，３０から独立した状態で設置されている。
【００４０】
図４は、各間仕切パネル２０，３０において対向配置された下地フレーム２１，３１を示す斜視図である。図４に示すように、各間仕切パネル２０，３０において下地フレーム２１，３１同士が対向配置された状態では、各下地フレーム２１，３１において異なる方向に延びる桟同士、すなわち横桟２６及び縦桟３６が、互いに交差した状態で、かつ、間仕切壁１０の厚み方向に重ねて設けられている。この場合、例えば各下地フレーム２１，３１において同一方向に延びる桟が間仕切壁１０の厚み方向に重ねて設けられている構成と比べ、間仕切壁１０の剛性を高めることができる。
【００４１】
また、かかる構成では、対向配置された各下地フレーム２１，３１の内部空間（詳細には、各外枠２５，３５の内側空間）のうち、下地フレーム２１側の内部空間では横桟２６が設けられている一方、縦桟が設けられていないため、当該内部空間は横方向において連続した空間となっている。それに対して、下地フレーム３１側の内部空間では縦桟３６が設けられている一方、横桟が設けられていないため、当該内部空間は上下方向において連続した空間となっている。これにより、下地フレーム２１，３１の内部空間（換言すれば、間仕切壁１０の壁内空間）を利用して配線Ｈを通す場合には、下地フレーム２１側の内部空間では縦桟３６を左右に跨いで配線Ｈを通すことができ、下地フレーム３１側の内部空間では横桟２６を上下に跨いで配線Ｈを通すことができる。したがって、間仕切壁１０の壁内に配線Ｈを設置する際には、下地フレーム２１，３１に配線Ｈを挿通させる挿通孔をあける等の加工作業をしなくても、間仕切壁１０の内部において上下及び左右に配線Ｈを通すことができる。
【００４２】
さらに、各下地フレーム２１，３１が対向配置された状態では、各々の下地フレーム２１，３１（外枠２５，３５）の切欠き２９，３９が互いの開口を向き合わせた状態で配置される。この場合、これらの切欠き２９，３９により囲まれた内側領域は、配線Ｈを下地フレーム２１，３１の内側空間に挿入するための挿入部５７となり、この挿入部５７を通じて床下又は天井裏から配線Ｈを下地フレーム２１，３１の内側空間（すなわち間仕切壁１０の壁内）に導き入れることができる。
【００４３】
図３に示すように、各間仕切パネル２０，３０は、その上下両端部に設けられた固定部材４１を介して床側及び天井側にそれぞれ固定されている。以下、間仕切パネル２０，３０の固定構成について図３に加え図５を参照しつつ説明する。図５は、固定部材４１の構成を示す斜視図である。なお、図５では、参考として、第１間仕切パネル２０の下地フレーム２１を一点鎖線で示している。
【００４４】
まず間仕切パネル２０，３０の固定構成の説明に先立ち、各間仕切パネル２０，３０が固定される床側及び天井側の構成について簡単に説明する。建物において床部には、図示しない床梁上に設けられた床下地材４３と、床下地材４３の上面に設けられ居室Ｋ１，Ｋ２の床面を形成する床仕上げ材４４とが設けられている。床下地材４３は、パーティクルボードにより構成され、床仕上げ材４４はフローリングにより構成されている。床仕上げ材４４は、床下地材４３上において間仕切壁１０（すなわち各間仕切パネル２０，３０）を挟んだ両側に設けられており、これら各床仕上げ材４４の間には、床仕上げ材４４と同じ厚みを有しかつ間仕切壁１０の横幅方向に延びる長尺板状のスペーサ４６が配設されている。スペーサ４６は、床下地材４３に対してビス等で固定されており、このスペーサ４６上に各間仕切パネル２０，３０が設置されている。
【００４５】
一方、建物において天井部には、居室Ｋ１，Ｋ２の天井面を形成する天井面材４８が設けられている。天井面材４８は、石膏ボードにより形成されており、図示しない天井梁により支持されている。天井面材４８の上方には、木製の角材からなる下地材４９が設けられている。下地材４９は、後述するように、各固定部材４１（詳しくはパネル上部の固定部材４１Ｂ）を固定するための下地として利用されるものである。
【００４６】
続いて、間仕切パネル２０，３０の固定構成について説明する。なお、各間仕切パネル２０，３０の固定構成はいずれも同じものである。
【００４７】
上述したように、各間仕切パネル２０，３０は、その上端部及び下端部に設けられた各固定部材４１を介して床側及び天井側に固定されている。本実施形態では、それら各固定部材４１が同じ構成を有しており、以下の説明では便宜上、パネル下端部の下側固定部材４１の符号にＡを付し、パネル上端部の上側固定部材４１の符号にＢを付して区別する。また、各固定部材４１Ａ，４１Ｂを構成する各部についても同じように区別するため、下側固定部材４１Ａを構成する各部の符号にはＡを付し、上側固定部材４１Ｂを構成する各部の符号にはＢを付すこととする。
【００４８】
図３及び図５に示すように、固定部材４１は、金属製の板材により長尺状に形成されており、全体として平板状をなしている。固定部材４１は、間仕切パネル２０，３０の幅と略同じ長さを有し、かつ、間仕切パネル２０，３０の厚みよりも大きい幅を有して形成されている。下側固定部材４１Ａ及び上側固定部材４１Ｂはそれぞれ、各間仕切パネル２０，３０において下地フレーム２１，３１の上端部及び下端部に設けられており、その一部が間仕切パネル２０，３０（詳しくは仕上げ面材２３，３３）から居室Ｋ１，Ｋ２側にはみ出した状態で各々の下地フレーム２１，３１に対してビス５１により取り付けられている。なお、ビス５１は、固定部材４１に形成された挿通孔５４を通じて下地フレーム２１，３１に打ち付けられている。
【００４９】
固定部材４１において上記はみ出した（張り出した）部分は張出部４２となっている。各固定部材４１Ａ，４１Ｂの張出部４２Ａ，４２Ｂはそれぞれ床部及び天井部に当接されており、その当接状態においてビス５２，５３により固定されている。これにより、間仕切パネル２０、３０が各固定部材４１Ａ，４１Ｂを介して天井部及び床部に固定されている。具体的には、下側固定部材４１Ａの張出部４２Ａがスペーサ４６を介して床下地材４３にビス５２により固定されており、上側固定部材４１Ｂの張出部４２Ｂが天井面材４８を介して下地材４９にビス５３により固定されている。
【００５０】
また、各ビス５２，５３はそれぞれ居室Ｋ１，Ｋ２側から床下地材４３及び下地材４９に対して打ち付けられており、しかも上述したように、各間仕切パネル２０，３０は互いに独立した状態で設置されていることから、間仕切パネル２０、３０を間仕切壁１０から取り外す際には、各ビス５２，５３を居室Ｋ１，Ｋ２側から引き抜いて固定部材４１を床側及び天井側から取り外すことで、間仕切パネル２０、３０を取り外すことができる。つまり、居室Ｋ１，Ｋ２側からの作業により、各間仕切パネル２０、３０を、一体の状態で個別に取り外すことが可能となっている。なお、各ビス５２，５３は、固定部材４１に形成された挿通孔５５を通じてそれぞれ床部及び天井部に打ち付けられている。
【００５１】
また、固定部材４１には、張出部４２とは反対側に開口された切欠き６１が形成されている。この切欠き６１は、各下地フレーム２１，３１により形成される上述の挿入部５７を通じて天井裏又は床下から下地フレーム２１，３１の内側に配線Ｈを導き入れる場合に、配線Ｈが固定部材４１に干渉するのを回避するためのものである。切欠き６１は、下地フレーム２１，３１の各切欠き２９，３９に対応した位置にそれぞれ設けられている。
【００５２】
間仕切壁１０の下端部には、巾木５８が設けられている。巾木５８は、間仕切壁１０において第一居室Ｋ１側及び第二居室Ｋ２側の各壁面にそれぞれ設けられている。巾木５８は、間仕切壁１０の下端部に沿った長尺状とされており、横並びに設けられた複数の間仕切パネル２０、３０に跨って設けられている。巾木５８は、複数の間仕切パネル２０、３０の各下側固定部材４１Ａに対し着脱自在に取り付けられている。ここで、巾木５８の取付構成に関して説明すると、固定部材４１の張出部４２には、その長手方向（換言すると、仕上げ面材２３，３３の仕上げ面）に沿って複数の爪部４７が設けられている。一方、巾木５８には、当該爪部４７と係合可能な被係合部５８ａが設けられている。この場合、巾木５８の被係合部５８ａが下側固定部材４１Ａの爪部４７Ａと係合されることにより、巾木５８は爪部４７Ａに対して着脱自在に支持され、その支持された状態で下側固定部材４１Ａに取り付けられている。巾木５８が下側固定部材４１Ａに取り付けられた状態では、張出部４２Ａが巾木５８により覆い隠されており、これにより間仕切壁１０下端部の美観が損なわれるのが回避されている。
【００５３】
間仕切壁１０の上端部には、廻り縁５９が設けられている。廻り縁５９は、間仕切壁１０において第一居室Ｋ１側及び第二居室Ｋ２側の各壁面にそれぞれ設けられている。廻り縁５９は、間仕切壁１０の上端部に沿った長尺状とされており、横並びに設けられた複数の間仕切パネル２０、３０に跨って設けられている。廻り縁５９は、複数の間仕切パネル２０、３０の各上側固定部材４１Ｂに対し着脱自在に取り付けられている。具体的には、廻り縁５９の被係合部５９ａが上側固定部材４１Ｂの爪部４７Ｂと係合されることにより、廻り縁５９は爪部４７Ｂに対して着脱自在に支持され、その支持された状態で上側固定部材４１Ｂに取り付けられている。廻り縁５９が上側固定部材４１Ｂに取り付けられた状態では、張出部４２Ｂが廻り縁５９により覆い隠されており、これにより間仕切壁１０上端部の美観が損なわれるのが回避されている。
【００５４】
次に、上述した間仕切壁１０の壁内に配線を設置する配線工事の作業手順について図６に基づいて説明する。具体的には、天井裏に設けられている配線を間仕切壁１０の壁内を通じて床下に導く作業について説明する。なお、図６は、配線工事の作業手順を説明するための説明図である。
【００５５】
ここでは、第一居室Ｋ１側から間仕切壁１０内への配線工事を行うことを想定しており、詳しくは図６に示すように、横並びに設けられた複数の第１間仕切パネル２０Ａ，２０Ｂ，…のうち、第１間仕切パネル２０Ｂを取り外して配線工事を行うことを想定している。
【００５６】
本作業ではまず、間仕切壁１０において第一居室Ｋ１側に取り付けられている巾木５８及び廻り縁５９を固定部材４１から取り外す作業を行う。この作業は、巾木５８の被係合部５８ａ及び廻り縁５９の被係合部５９ａを各々の固定部材４１Ａ，４１Ｂの爪部４７Ａ，４７Ｂから取り外すことにより行う。
【００５７】
続いて、第１間仕切パネル２０Ｂの各固定部材４１Ａ，４１Ｂを床部（詳細には床下地材４３）及び天井部（詳細には下地材４９）に固定しているビス５２，５３を引き抜いて、第１間仕切パネル２０Ｂを固定部材４１Ａ，４１Ｂごと第一居室Ｋ１側に取り外す。これにより、間仕切壁１０の壁内が第一居室Ｋ１側に開放され、第一居室Ｋ１側から壁内への配線設置が可能となる。なお、ビス５２，５３の引き抜き作業は、上述したように第一居室Ｋ１側から行うことができる。
【００５８】
次に、間仕切壁１０の壁内に配線を設置する作業を行う。配線は、天井面材４８に予め設けられた配線挿通孔（図示略）を通じて、天井裏から間仕切壁１０の壁内に引き込む。なお、配線挿通孔は、間仕切パネル２０Ｂ、３０Ｂの下地フレーム２１，３１の切欠き２９，３９に対応した位置に設けられている。そして、間仕切壁１０の壁内に引き込んだ配線を、第２間仕切パネル３０Ｂの下地フレーム３１の内側において上下に通し、それから、その配線を床下地材４３及びスペーサ４６に予め設けられた配線挿通孔（図示略）を通じて床下へ導き入れる。
【００５９】
次に、配線を、第２間仕切パネル３０Ｂの下地フレーム３１における上下の切欠き３９内にそれぞれ通し、その配線状態で第１間仕切パネル２０Ｂを第２間仕切パネル３０Ｂに対向させて再設置する。そして、各固定部材４１Ａ，４１Ｂをそれぞれビス５２，５３で床部及び天井部に固定する。これにより、配線は、対向配置された下地フレーム２１，３１からなる上下の挿入部５７のうち、上側の挿入部５７を通じて、天井裏から下地フレーム３１の内側（すなわち間仕切壁１０の壁内）に取り込まれ（図４参照）、下側の挿入部５７を通じて壁内から床下に取り込まれる。つまり、配線は、天井裏から間仕切壁１０の壁内を通じて床下に導かれる。
【００６０】
その後、巾木５８及び廻り縁５９が各固定部材４１Ａ，４１Ｂにそれぞれ取り付けられることで、間仕切壁１０の壁内への配線工事が終了する。
【００６１】
以上、詳述した本実施形態の構成によれば、以下の優れた効果が得られる。
【００６２】
間仕切壁１０を、厚み方向に対向配置された第１間仕切パネル２０及び第２間仕切パネル３０をそれぞれ横並びに複数設置することにより構成した。そして、第１間仕切パネル２０及び第２間仕切パネル３０を、下地フレーム２１，３１と、該下地フレーム２１，３１の表側面に設けられた下地面材２２，３２と、該下地面材２２，３２の表側面に設けられた仕上げ面材２３，３３とを有して構成し、互いの下地フレーム２１，３１を向き合わせた状態で設置するとともに、それぞれ個別に取り外し可能とした。この場合、間仕切壁１０において、厚み方向に分割された各間仕切パネル２０，３０を個別に取り外すことで、間仕切壁１０の壁内を露出させることができる。この場合、間仕切壁１０に関する工事に際し、複数の下地面材に跨って貼り付けられた仕上げ面材を各下地面材から剥がし取ったり、下地面材を破壊して当該下地面材を下地フレームから取り外したりするといった煩わしい作業が不要となる。しかも、厚み方向に分割された各間仕切パネル２０，３０のうち、一方の間仕切パネル２０（３０）を取り付けたまま他方の間仕切パネル３０（２０）を取り外すことができるため、当該一方の壁面（壁内露出側とは反対側の壁面）については仕上げ面材や下地面材を取り外すといった作業は不要である。よって、以上より、間仕切壁１０において壁内の点検や工事を行う際の作業負荷を軽減することができる。
【００６３】
また、このように下地面材２２，３２から仕上げ面材２３，３３を剥がし取ったり、下地面材２２，３２を破壊して下地フレーム２１，３１から取り外したりする作業が不要となることで、間仕切壁１０内の点検や工事に際し間仕切パネル２０，３０の再利用を図ることが可能となり、部材の有効利用の観点からも好ましいといえる。
【００６４】
第１間仕切パネル２０及び第２間仕切パネル３０においてそれぞれの上下端部に、それら各間仕切パネル２０，３０の仕上げ面材２３，３３の仕上げ面側に張り出した張出部４２を有する固定部材４１を取り付けた。そして、各固定部材４１の張出部４２をそれぞれ天井部と床部とに居室Ｋ１，Ｋ２側からビス５２，５３を打ち付けて取り付けることにより、第１間仕切パネル２０及び第２間仕切パネル３０を固定した。この場合、居室Ｋ１，Ｋ２側からビス５２，５３を引き抜くことにより、各固定部材４１の張出部４２を床部及び天井部から取り外すことで、間仕切パネル２０，３０を取り外すことができる。これにより、間仕切壁１０内の点検や工事を行う際の作業負荷をより一層軽減できる。
【００６５】
また、固定部材４１の張出部４２に、仕上げ面材２３，３３の仕上げ面に沿って、見切り横材（具体的には巾木５８及び廻り縁５９）を取り外し可能に支持する爪部４７を設け、見切り横材を、その内側に張出部４２を隠しかつ爪部４７に支持させた状態で取り付けた。この場合、間仕切壁１０の上下端部の見栄えが損なわれるのを回避しつつ、固定部材４１によりもたらされる上記の効果を得ることができる。また、見切り横材は、固定部材４１に着脱自在に取り付けられているため、例えば下地面材２２，３２に接着された見切り横材を剥がし取るといった面倒な作業をしなくても、見切り横材の取り外しができる。したがって、間仕切パネル２０，３０を取り外す際の前作業として生じうる見切り横材の取り外し作業が煩雑となるのを抑制しつつ、上記効果を得ることができる。
【００６６】
〔第２の実施形態〕
本実施形態では、浴室と、該浴室と隣接する屋内空間とを仕切る間仕切壁に対して本発明を適用している。以下、本実施形態の構成を、第１の実施形態との相違点を中心に図７に基づいて説明する。なお、図７は、間仕切パネルの設置構成を示す縦断面図である。
【００６７】
図７に示す間仕切壁７０は、浴室６７と、洗面室６８とを仕切っており、壁厚み方向に分割された第１間仕切パネル８０と第２間仕切パネル９０とを備える。第１間仕切パネル８０が間仕切壁７０において洗面室６８側に設けられ、第２間仕切パネル９０が浴室６７側に設けられている。
【００６８】
各間仕切パネル８０，９０のうち、第１間仕切パネル８０は、上記第１の実施形態における第１間仕切パネル２０と同様の構成を有しており、下地フレーム８１と、下地面材８２と、仕上げ面材８３とを備える。一方、第２間仕切パネル９０は、下地フレーム９１と、下地面材９２と、防水シート９３と、化粧材９４とを備える。下地フレーム９１は、上記第１の実施形態における第２間仕切パネル３０の下地フレーム３１と同じ構成を有し、下地面材９２は第２間仕切パネル３０の下地面材３２と同じ構成を有している。
【００６９】
防水シート９３は、塩化ビニル樹脂からなる矩形形状のシート材であり、下地面材９２と略同じ大きさ（縦横寸法）で形成されている。防水シート９３は、下地面材９２の表面側（すなわち浴室６７側）に接着剤により貼り付けられている。化粧材９４は、複数のタイルからなり、それら各タイルが防水シート９３の表面全域に貼り付けられることにより構成されている。隣接するタイル同士の隙間にはシール材が充填されており、これにより、上記隙間からの水漏れ防止が図られている。また、仮に隙間を通じて水が入り込んだとしても、防水シート９３によりそれ以上の壁内への水の浸入が防止されている。
【００７０】
また、隣り合う第２間仕切パネル９０において隣接するタイル同士の隙間にもシール材が充填されている。これにより、隣り合う第２間仕切パネル９０の間から水漏れするのが防止されている。また、間仕切壁７０と、浴室６７の床面を形成する浴室床材９７との間の境界部、及び、間仕切壁７０と、浴室６７の天井面を形成する浴室天井材９６との境界部にもシール材が充填されており、浴室６７外部への水漏れ防止が図られている。
【００７１】
次に、各間仕切パネル８０，９０の固定構造について説明する。上記実施形態では、間仕切パネル２０，３０が固定部材４１を介して床部及び天井部にそれぞれ固定されていたが、本例における間仕切パネル８０，９０は、床部及び天井部に直接固定されている。具体的には、間仕切パネル８０，９０において、下地フレーム８１，９１の下端部がパーティクルボードからなる床下地面材７１にビス９８により固定され、下地フレーム８１，９１の上端部が天井面材７２を介してその上方の下地材７３にビス９９により固定されている。この場合、ビス９８は、床下から打ち込まれ、ビス９９は天井裏から打ち込まれている。
【００７２】
ところで、上記の間仕切壁７０では、壁内に浴室配管を新たに設置したり、壁内の浴室配管を点検したりすることがある。この場合、上記の間仕切壁７０では、第１間仕切パネル８０を取り外すことにより、間仕切壁７０の内部を洗面室６８側に露出させることで、洗面室６８側から浴室配管の設置や点検を行うことができる。すなわち、間仕切壁７０の壁内を露出させるに際し、壁全体（壁の厚み方向全体）を破壊する必要がないため、浴室６７側の壁面材（下地材や化粧材）を取り外す手間を省くことができる。したがって、浴室６７側の壁面材において床面や天井面との境界部に設けられている防水用のシール部材や、隣接する壁面材の間に同様の目的で充填されているシール部材についても除去する必要がなくなり、かかる間仕切壁７０において点検や工事を行うに際し、作業負荷を大いに軽減させることができる。
【００７３】
また、間仕切壁７０の壁内（すなわち下地フレーム８１，９１の内側空間）に浴室配管を設置する場合、例えば当該壁内に浴室配管を上下に立ち上げて設置する場合には、第２間仕切パネル９０の下地フレーム９１の内側空間、つまり横桟を有していない下地フレーム９１の内側空間を利用して立ち上げることができる。ここで、従来の間仕切壁において、壁内に浴室配管を上下に立ち上げて設置する場合、下地フレーム（横桟）に浴室配管を挿通させる挿通孔をあける等の加工作業を現場で行う必要があり、手間が発生していた。この点、上記の構成によれば、かかる手間が発生するのを回避しつつ、壁内への浴室配管の設置を行うことが可能となり、かかる設置を行う際の作業負荷を大いに軽減できる。
【００７４】
なお、上記の構成では、防水シート９３を下地面材９２と化粧材９４との間に介在させたが、これを変更し、防水シート９３を下地フレーム９１と下地面材９２との間に介在させてもよい。また、第２間仕切パネル９０を取り外すことがないことを前提とすれば、防水シートを各第２間仕切パネル９０ごとに個別に設けるのではなく、防水シートを各第２間仕切パネル９０に跨って設けてもよい。すなわち、防水シートを各第２間仕切パネル９０に跨ることが可能な大きさを有して形成し、それを各第２間仕切パネル９０における下地面材９２及び化粧材９４の間に介在させるようにしてもよい。そうすれば、隣接する第２間仕切パネル９０の間からの水の浸入を防水シートにより防止できる。
【００７５】
〔他の実施形態〕
本発明は上記実施形態に限らず、例えば次のように実施されてもよい。
【００７６】
（１）上記実施形態では、第１間仕切パネル２０の下地フレーム２１に横桟２６を設ける一方、第２間仕切パネル３０の下地フレーム３１に縦桟３６を設けたが、各下地フレーム２１，３１の双方に横桟を設けるようにしてもよいし、各下地フレーム２１，３１の双方に縦桟を設けるようにしてもよい。また、各下地フレーム２１，３１の少なくともいずれかに、縦桟及び横桟の双方を設けることで、桟を格子状に配置してもよい。この場合、間仕切パネルの剛性をより高めることができる。また、各下地フレーム２１，３１の少なくともいずれかを桟を有さない構成、すなわち外枠２５，３５のみからなる構成としてもよい。この場合、下地フレーム２１，３１の内側領域を広く確保できるため、当該内側領域、すなわち間仕切壁１０内に部材を設置する際の自由度を高めることができる。
【００７７】
（２）第１間仕切パネル２０の下地フレーム２１の横桟２６と、第２間仕切パネル３０の下地フレーム３１の縦桟３６との交差部（接合部）に、これら各桟２６，３６を連結する連結構造を設けてもよい。この場合、これら各桟２６，３６の位置ずれを規制することができ、その結果間仕切パネル２０，３０の剛性を高めることができる。そのため、間仕切壁１０の厚み方向に間仕切パネル２０，３０を分割した構成においても、間仕切壁１０を安定した構造とすることができる。
【００７８】
ここで、連結構造としては、例えば、図８（ａ）に示すように、下地フレーム２１の横桟２６及び下地フレーム３１の縦桟３６の交差部において、横桟２６及び縦桟３６をそれぞれ欠き取り（つまり相欠きし）、これら各桟２６，３６を相欠き継ぎにより接合することが考えられる。なお、図８（ａ）では、横桟２６及び縦桟３６にて欠き取った部分にそれぞれ１０１，１０２の符号を付している。また、図８（ｂ）に示すように、上記交差部において、縦桟３６にダボ１０３を設ける一方、横桟２６にダボ孔（図示略）を設け、ダボ１０３をダボ孔に挿入した状態で各桟２６，３６を接合することが考えられる。
【００７９】
（３）例えば、図９に示すように、間仕切壁１０を利用してテレビを設置することが考える。図９（ａ）では、間仕切壁１０における複数の第１間仕切パネル２０のうちのひとつにテレビ１０５が埋め込まれた状態で設けられている。ここで、間仕切壁１０に設置されたテレビ１０５を大型のものに変更する場合、図９（ｂ）に示すように、そのテレビ１０６が複数の第１間仕切パネル２０に跨ることが考えられる。この場合、大型テレビ１０６の設置を可能とすべく間仕切壁１０の工事を行う必要がある。
【００８０】
ここで、従来の間仕切壁、すなわち間仕切壁の厚み方向に非分割の間仕切パネルからなる間仕切壁においてかかる工事を行う場合、まず大型テレビ１０６が設置される部位の間仕切パネルを取り外し、その後、大型テレビ１０６を収容（埋め込み）可能な収容部を予め備えた間仕切パネルを新たに設置することが考えられる。しかしながら、この場合、間仕切パネルの両面に貼り付けられている仕上げ面材を剥がし取る必要があり、しかもこの仕上げ面材は複数の間仕切パネルに跨って貼り付けられているため、その作業は非常に大きな負荷を伴うと考えられる。
【００８１】
その点、本間仕切壁１０においてかかる工事を行う場合には、まず、大型テレビ１０６が設置されることとなる第１間仕切パネル２０を取り外し、それから、大型テレビ１０６を収容（埋め込み）可能な収容部１０７を予め備えた第１間仕切パネル１０８を新たに設置するだけでよい。すなわち、各間仕切パネルから仕上げ面材を剥がし取るといった面倒な作業を行う必要がなく、大型テレビ１０６の設置対象となる間仕切パネルを交換する等の簡易な作業だけで済ませることができる。これにより、本間仕切壁１０は、かかる工事を行う際においても作業負荷の軽減を図ることができる。
【００８２】
（４）上記実施形態では、同じ大きさで形成した第１間仕切パネル２０と第２間仕切パネル３０とを互いに位置合わせした状態で対向配置させたが、これを変更してもよい。例えば、第１間仕切パネル２０及び第２間仕切パネル３０のうち一方側の一の間仕切パネルを、他方側の複数の間仕切パネルに跨るように配置してもよい。図１０に示す間仕切壁１１０では、各間仕切パネル２０，３０が間仕切壁１０の横幅方向にオフセットされた状態で配置されており、一の間仕切パネル２０（３０）が他方側の複数（図１０では２つ）の間仕切パネル３０（２０）に跨って配置されている。換言すると、この場合、隣接する第１間仕切パネル２０の間の目地１１１と、隣接する第２間仕切パネル３０の間の目地１１２とが、間仕切壁１１０の横幅方向において異なる位置（ずれた位置）に配置されており、詳しくは、各間仕切パネル２０（３０）の目地１１１（１１２）が、他方側の間仕切パネル３０（２０）における幅方向の略中央に位置している。
【００８３】
かかる構成では、上記他方側の２つの間仕切パネル３０（２０）が共に、上記一方側の同一の間仕切パネル２０（３０）と間仕切壁１１０の壁厚み方向において対向（重複）しているため、上記他方側の２つの間仕切パネル３０（２０）のうちいずれか一方に人が寄りかかる等して荷重が加えられた場合でも、他方の間仕切パネル３０（２０）との間で壁厚み方向に位置ずれが生じるのを抑制できる。したがって、横並びに隣接する間仕切パネル同士の間に壁厚み方向のずれが生じるのを抑制できる。
【００８４】
また、上記の構成によれば、上記一方側の間仕切パネル２０（３０）に荷重が加えられた場合に、その荷重を他方側の複数の間仕切パネル３０（２０）によって支えることができる。そのため、各間仕切パネル２０，３０をそれぞれ個別に取り外し可能とした間仕切壁１０の構成においても、安定した壁構造を構築することができる。
【００８５】
なお、第１間仕切パネル２０及び第２間仕切パネル３０のうち、いずれか一方側の間仕切パネル２０（３０）の横幅を他方側の間仕切パネル３０（２０）の横幅よりも大きくすることで、一方側の一の間仕切パネル２０（３０）を他方側の複数の間仕切パネル３０（２０）に跨って設けるようにしてもよい。例えば、第１間仕切パネルを、第２間仕切パネル３０の横幅の２倍の横幅を有して形成し、第１間仕切パネルと第２間仕切パネル３０とを１対２の関係で対向配置させることが考えられる。この場合に、横並びに隣接する第２間仕切パネル３０同士の間に壁厚み方向のずれが生じるのを抑制できる。
【００８６】
また、第１間仕切パネル２０及び第２間仕切パネル３０のうち一方側の一の間仕切パネルを、他方側の３つ以上の間仕切パネルに跨るように配置してもよい。
【００８７】
（５）上記第１の実施形態では、間仕切壁１０の壁内に配線を設置する場合について、上記第２の実施形態では、間仕切壁７０の壁内に浴室配管を設置する場合について説明したが、本発明の間仕切壁は、その他の部材を壁内に設置する際にも作業負荷の軽減を図れる。その他の部材を設置する場合としては、例えば間仕切壁に断熱機能を付与すべく断熱材を設置したり、間仕切壁に防音機能を付与すべく防音材を設置したり、間仕切壁に部材を据え付ける際の下地となるバッキング材を設置したりすることが考えられる。
【００８８】
（６）上記第１の実施形態では、見切り横材として、巾木５８及び廻り縁５９を設けたが、これら各見切り横材５８，５９のうちいずれか一方だけを設ける構成としてもよい。また、見切り横材５８，５９を支持するための支持部材を固定部材４１（すなわち爪部４７）とは別に設け、その支持部材により見切り横材を取り外し可能に支持する構成としてもよい。
【００８９】
（７）上記第１の実施形態では、固定部材４１の張出部４２に打ち付ける固定具としてビス５２，５３を用いたが、釘等その他の固定具を用いてもよい。
【００９０】
［本明細書から抽出可能な他の発明について］
以下に、本明細書の開示範囲内において課題を解決するための手段欄に記載した発明以外に抽出可能な発明について、必要に応じて効果等を示しつつ説明する。
【００９１】
（１）屋内空間を複数に仕切る間仕切壁を備える建物の間仕切壁構造において、
前記間仕切壁は、厚み方向に対向配置された第１間仕切パネル及び第２間仕切パネルを備え、これら各間仕切パネルがそれぞれ横並びに複数設置されることにより構成されており、
前記第１間仕切パネル及び前記第２間仕切パネルは、下地フレームと、該下地フレームの表側面に設けられた下地面材とを有し、互いの下地フレームを向き合わせた状態で設置されており、
前記各間仕切パネルはそれぞれ個別に取り外し可能に設置されており、
前記第１間仕切パネル及び前記第２間仕切パネルのうち、一方の少なくとも１つの間仕切パネルが、他方の複数の間仕切パネルに跨って設けられていることを特徴とする。
【００９２】
上記構成によれば、第１間仕切パネル及び第２間仕切パネルのうち、一方の少なくとも１つの間仕切パネルが他方の複数の間仕切パネルに跨って設けられているため、当該一方の間仕切パネルに荷重が加えられた場合には、その荷重を他方の複数の間仕切パネルによって支えることができる。そのため、各間仕切パネルをそれぞれ個別に取り外し可能とした間仕切壁の構成であっても、安定した壁構造を構築できる。
【００９３】
（２）屋内空間を複数に仕切る間仕切壁を備える建物の間仕切壁構造において、
前記間仕切壁は、厚み方向に対向配置された第１間仕切パネル及び第２間仕切パネルを備え、これら各間仕切パネルがそれぞれ横並びに複数設置されることにより構成されており、
前記第１間仕切パネル及び前記第２間仕切パネルは、下地フレームと、該下地フレームの表側面に設けられた下地面材とを有し、互いの下地フレームを向き合わせた状態で設置されており、
前記各間仕切パネルはそれぞれ個別に取り外し可能に設置されており、
前記隣接する第１間仕切パネルの間の目地と、前記隣接する第２間仕切パネルの間の目地とが、前記間仕切壁の横幅方向にずれた位置に配置されていることを特徴とする。
【００９４】
上記構成によれば、第１間仕切パネル及び第２間仕切パネルのうち、一方側の間仕切パネルにおいて隣接する間仕切パネルの間の目地が、他方側の間仕切パネルにおける幅方向の中間部に位置するため、当該一方側の隣接する間仕切パネルが共に、他方側の同一の間仕切パネルと間仕切壁の厚み方向において重複している。この場合、当該一方側の隣接する間仕切パネルのいずれか一方に人が寄り掛かる等して荷重が加えられた場合でも、他方の間仕切パネルとの間で壁厚み方向への位置ずれが生じることを抑制できる。このため、例えば複数の間仕切パネルの下地面材に跨ってクロス等の化粧材が貼り付けられている場合において、上記位置ずれに伴い化粧材が目地部に沿って破れる等の不都合を抑制できる。
【符号の説明】
【００９５】
１０…間仕切壁、２０…第１間仕切パネル、２１…下地フレーム、２２…下地面材、２３…化粧材としての仕上げ面材、３０…第２間仕切パネル、３１…下地フレーム、３２…下地面材、３３…化粧材としての仕上げ面材、４１…固定下地板としての固定部材、４２…張出部、４７…支持部としての爪部、５２…固定具としてのビス、５３…固定具としてのビス、５８…見切り横材としての巾木、５９…見切り横材としての廻り縁、６７…浴室、６８…浴室隣接空間としての洗面室。
【図１】
0005650516.tif 000002
【図２】
0005650516.tif 000003
【図３】
0005650516.tif 000004
【図４】
0005650516.tif 000005
【図５】
0005650516.tif 000006
【図６】
0005650516.tif 000007
【図７】
0005650516.tif 000008
【図８】
0005650516.tif 000009
【図９】
0005650516.tif 000010
【図１０】
0005650516.tif 000011